(57)【特許請求の範囲】
【請求項１】
撮影方向を向くレンズが設けられた第１キャビネットと、
前記第１キャビネットに重置可能に構成され、該第１キャビネットとの対向面内を回動自在に設けられ操作部が配備された支持部と、該支持部に回動可能に枢支されディスプレイを具えた表示部を具える第２キャビネットと
を具えるカメラ機器であって、
前記第２キャビネットが前記第１キャビネットに重なり、前記操作部と前記ディスプレイが該第１キャビネットと該第２キャビネットの対向面とは反対面であって、前記撮像方向と略垂直に配置される第１姿勢と、前記操作部と前記ディスプレイが前記第１キャビネットに対して略垂直となるまで回動し、前記支持部と前記ディスプレイが前記撮影方向とは反対方向を向くように配置される第２姿勢との間を往動可能に設けられ、
前記第１姿勢において、該操作部と該表示部は略平行面上に位置し、前記第２姿勢において該操作部と該表示部は互いに略直交する面上に位置することを特徴とするカメラ機器。
【請求項２】
前記第１キャビネット、前記第２キャビネットはともに縦長であって、前記表示部の回動中心は、前記支持部の周縁部に位置する、請求項１に記載のカメラ機器。
【請求項３】
前記支持部からは、前記第１の姿勢にてレンズに被さり、前記第２の姿勢にてレンズを露出させるカバー体が突出している、請求項１又は２に記載のカメラ機器。
【発明の詳細な説明】
【技術分野】
【０００１】
本発明は、ディスプレイを具えたカメラ機器、具体的には液晶パネルを具えたデジタルカメラに関する。
【背景技術】
【０００２】
図５(a)、(b)は、出願人が以前提案したデジタルカメラの斜視図である(特許文献１参照)。キャビネット(１)には、液晶パネルであるディスプレイ(40)を有する表示部(４)が設けられ、該表示部(４)とキャビネット(１)は、表示部(４)の幅方向の中央部に位置する回動支持片(45)を介して接続される。回動支持片(45)は第１軸(46)を介してキャビネット(１)に上下回動可能に設けられる。表示部(４)は回動支持片(45)に第２軸(47)を介して設けられ、第２軸(47)の軸方向は、第１軸(46)の軸方向と略直交する。
キャビネット(１)の一側部には周知の如く、撮影用のレンズ(10)が取り付けられ、キャビネット(１)上にてレンズ(10)の反対側側部に操作釦群(30)が配備される。
撮影時には、図５(b)に示すように、第１軸(46)を中心として、回動支持片(45)と表示部(４)を上向きに回動させる。キャビネット(１)上にて、表示部(４)に隠れていた電源釦(12)が露出する。電源をＯＮにしてレンズ(10)を被写体に向けて、操作釦群(30)内の釦を操作して撮影ができる。
【０００３】
図６(a)に示すように、第２軸(47)を中心として、ディスプレイ(40)が被写体を向くように、表示部(４)を回動させれば、被写体が撮影状態を確認することができる。図６(b)に示すように、ディスプレイ(40)が撮影者を向くように、表示部(４)を回動させれば、撮影状態を確認しながら撮影をすることができる。
【０００４】
【特許文献１】意匠登録第１２４２３５８号公報
【発明の開示】
【発明が解決しようとする課題】
【０００５】
図５(a)、(b)に示すデジタルカメラでは、操作釦群(30)が、キャビネット(１)の一側部に配備されているから、操作釦を操作する空間が狭く、操作がしにくかった。
本発明の目的は、ディスプレイに撮影状態を表示することができるカメラ機器に於いて、操作釦の操作をし易くすることにある。
【課題を解決するための手段】
【０００６】
カメラ本体は、撮影方向を向くレンズ(10)を設けた第１キャビネット(１)上に、第２キャビネット(２)を重ねて構成され、該第２キャビネット(２)は第１キャビネット(１)との対向面内を回動自在に設けられ操作釦群(30)が配備された支持部(３)と、該支持部(３)に回動可能に枢支されディスプレイ(40)を具えた表示部(４)を具え、表示部(４)と支持部(３)は互いに略直交する面内を回動し、
表示部(４)は、第１キャビネット(１)に重なってディスプレイ(40)を外側に向けた第１の姿勢と、第１の姿勢から第１キャビネット(１)に対して略垂直となるまで起立回動し、更に支持部(３)と一緒にディスプレイ(40)が撮影方向と反対側を向くまで回動した第２の姿勢との間を往動可能に設けられている。
【発明の効果】
【０００７】
第１の姿勢にて、表示部(４)のディスプレイ(40)は外側に向いている。これにより、カメラ機器を例えば鞄から取り出した状態で直ぐにディスプレイ(40)の画像を確認できる。第１の姿勢から表示部(４)を第２の姿勢となるまで回動させれば、ディスプレイ(40)及び操作釦群(30)が撮影方向とは逆向きになっている。即ち、ディスプレイ(40)及び操作釦群(30)は表示部(４)を挟んで撮影方向とは反対側を向いている。
この状態で、レンズ(10)を被写体に向ければ、操作釦群(30)及びディスプレイ(40)が撮影者の手前を向いており、撮影画像を確認しながら撮影でき、操作釦を操作しやすくなる。
即ち、操作釦群(30)は第１キャビネット(１)に対向した支持部(３)内に配備されているから、操作釦群(30)を設ける空間は従来に比して広くなる。これにより、操作釦の操作がし易くなる。
【発明を実施するための最良の形態】
【０００８】
以下、本発明の一実施例を図を用いて、詳述する。
図１(a)は、本例に係わるカメラ機器であるデジタルカメラの斜視図、(b)はその正面図、(c)は背面図、(d)は左側面図である。カメラ本体(６)は、一側部に撮影方向を向くレンズ(10)を設けた縦長の第１キャビネット(１)上に、縦長の第２キャビネット(２)を重ねて構成される。該第２キャビネット(２)は第１キャビネット(１)との対向面内を矢印Ａに沿って回動自在に設けられた支持部(３)と、該支持部(３)に矢印Ｂに沿って上下回動可能に枢支されディスプレイ(40)を具えた表示部(４)を具えている。表示部(４)と支持部(３)は互いに略直交する面内を回動し、支持部(３)が回動するときは、表示部(４)もともに回動する。
【０００９】
支持部(３)は半円状に形成されて、外面に操作釦群(30)が配備される。支持部(３)の周縁部に、表示部(４)から内向きに突出した枢軸(41)(41)が嵌まり、表示部(４)は上下回動可能となっている。図５(a)、(b)に示す従来の構成では、表示部(４)の回動中心が表示部(４)の幅方向の略中央に位置していたが、本例では表示部(４)の回動中心である枢軸(41)は支持部(３)の周縁部に位置している。これにより、操作釦群(30)を設ける空間を広く設けることができる。
第１キャビネット(１)上にて、レンズ(10)とは反対側の側部には、望遠／接写切換用のスイッチ(11)が設けられているが、この位置は図１(c)に示す位置に限定されない。
【００１０】
当初は、図１(a)に示すように、表示部(４)は第１キャビネット(１)に重なってディスプレイ(40)を外側に向けている。これにより、カメラ本体(６)を例えば鞄から取り出した状態で直ぐにディスプレイ(40)の画像を確認できる。この状態を、第１の姿勢とする。
撮影時には、第１の姿勢から、図２(a)に示すように、レンズ(10)を被写体に向け、表示部(４)が略水平(第１キャビネット(１)と略垂直)となるまで上向きに回動させる。第１キャビネット(１)に設けられて、表示部(４)に隠れていた通信用釦(13)が露出する。動画撮影時に該通信用釦(13)を押せば、該動画をパーソナルコンピュータや投写装置等に送信することができる。これにより、ブログ等の画像を手軽に更新することができる。
更に、図２(b)に示すように、表示部(４)を支持部(３)とともに矢印Ｃ方向に回動させ、表示部(４)を撮影方向とは逆に向ける。この状態を、第２の姿勢とする。図３は、図２(b)を反対側から見た斜視図である。
第２の姿勢では、図３に示すように、操作釦群(30)及びディスプレイ(40)が撮影者を向くから、撮影画像を確認しながら撮影でき、操作釦を操作しやすくなる。
即ち、操作釦群(30)は第１キャビネット(１)に対向した支持部(３)内に配備されているから、操作釦群(30)を設ける空間は従来に比して広くなる。これにより、操作釦の操作がし易くなる。
【００１１】
図４は、別のカメラ機器の実施例を示す斜視図である。図４に一点鎖線で示すように、支持部(３)からはレンズ(10)に被さるカバー体(35)が突出し、第１の姿勢では、カバー体(35)はレンズ(10)に被さってレンズ(10)を保護する。第２の姿勢では、支持部(３)とともにカバー体(35)が矢印Ｃ方向に回動するから、カバー体(35)はレンズ(10)を露出させる。これにより、撮影が可能となる。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例ではカメラ機器として、デジタルカメラを例示したが、ビデオカメラ等であってもよい。
【図面の簡単な説明】
【００１３】
【図１】(a)は本例に係わるカメラ機器の斜視図、(b)はその正面図、(c)は背面図、(d)は左側面図である。
【図２】(a)は第１の姿勢から表示部を起立回動させた状態の斜視図、(b)は第２の姿勢の斜視図である。
【図３】図２(b)を反対側から見た斜視図である。
【図４】別のカメラ機器の実施例を示す斜視図である。
【図５】(a)、(b)は、従来のデジタルカメラの斜視図である。
【図６】(a)、(b)は、図５のデジタルカメラの斜視図である。
【符号の説明】
【００１４】
(１)  第１キャビネット
(２)  第２キャビネット
(３)  支持部
(４)  表示部
(10)  レンズ
(30)  操作釦群
【図１】
0005127367.tif 000002
【図２】
0005127367.tif 000003
【図３】
0005127367.tif 000004
【図４】
0005127367.tif 000005
【図５】
0005127367.tif 000006
【図６】
0005127367.tif 000007